(57)【要約】【課題】リム通水路からの排水の放出によりボウル部全体の洗浄をすると共に、リム通水路内への汚れの付着を低減し、リム通水路外面の清掃性を向上させる洋風便器装置を提供する。【解決手段】便器本体２２の上端にリム通水路１１を周設し、該リム通水路に排水を通じて、ボウル部２０に放出する構造とした洋風便器装置１０において、前記リム通水路は、前記便器本体の外壁上端に形設されたリム上辺１１ｂと、該リム上辺から前記ボウル部の内壁に向けて傾斜させて形設されたリム内辺１１ｃとで囲まれて下方が先細り状となるように断面視略逆三角形状に形成されており、該リム通水路の下端部には、前記ボウル部に向けて開口する開口部１１ｅを形成している。【選択図】図１
2007315045.tif 000002
【特許請求の範囲】
【請求項１】
便器本体の上端にリム通水路を周設し、該リム通水路に排水を通じて、ボウル部に放出する構造とした洋風便器装置において、
前記リム通水路は、前記便器本体の外壁上端に形設されたリム上辺と、該リム上辺から前記ボウル部の内壁に向けて傾斜させて形設されたリム内辺とで囲まれて下方が先細り状となるように断面視略逆三角形状に形成されており、該リム通水路の下端部には、前記ボウル部に向けて開口する開口部を形成していることを特徴とする洋風便器装置。
【請求項２】
請求項１において、
前記開口部は、連続したスリット開口として構成されていることを特徴とする洋風便器装置。
【請求項３】
請求項１において、
前記開口部は、独立した複数の射水孔を列設して構成されていることを特徴とする洋風便器装置。
【発明の詳細な説明】
【技術分野】
【０００１】
本発明は、洋風便器装置に関し、詳しくは、リム通水路に排水を通じて、ボウル部に放出する構造とした洋風便器装置の改良に関するものである。
【背景技術】
【０００２】
従来、洋風便器装置では、便器本体の上端にリム通水路を周設し、該リム通水路に排水を通じて、ボウル部に放出する構造として、その排水によりボウル部を洗浄し、ボウル部下部に設けられた排水口より汚物とともに排水する構成となっている。
【０００３】
前記リム通水路は、便器本体の周状に沿って形設されており、例えば、多用されている形状として、図４に示すように便器本体外壁上端に位置するリム外辺１ａと、その上端から略水平に形設されたリム上辺１ｂと、リム上辺１ｂの内周端縁から下方に延在させて形設されたリム内辺１ｃと、リム内辺１ｃの下端から略水平に形設された底部１ｄとでリム通水路１が形成されている。
リム通水路１では、吐出口（不図示）からの排水をリム通水路１に沿って、下流側に通水するとともに、底部１ｄに複数個、穿設された射水孔１ｅよりボウル部２に向けて排水を放出する構成となっている。
【０００４】
しかしながら前記のような構成のリム通水路１では、底部１ｄの上面、すなわち、リム通水路１の内面が、略水平に形成されているため、吐出口から供給された排水が、ボウル部２に流れ切らず、長年の使用により水垢などがリム通水路１の内面に堆積するなど不衛生であった。
【０００５】
また、底部１ｄの下面も略水平に形成されているため、射水孔１ｅを伝って、水垢などの汚れが底部１ｄの下面に付着しやすく、清掃も困難であった。
【０００６】
特許文献１には、図５に示すように、図４のようなリム通水路１を形成せず、排水タンク４から供給された排水を吐出口３を介して略水平方向に高水圧で吐出し、ボウル部２の上端に沿わせるように一方向に旋回させて、ボウル部を洗浄する洋風便器装置５が提案されている。
この構成によれば、図４のような底部１ｄが形成されないため、清掃が容易とはなる。
【特許文献１】特開２０００−２６５５２５号公報
【発明の開示】
【発明が解決しようとする課題】
【０００７】
しかし、前記特許文献１で提案されている洋風便器装置５では、吐出口３から供給される排水の水勢が弱いと、排水の自重により、下流側に向かうにつれて、排水のボウル部２内での流路は、ボウル部２の上端から下方へと放射状に下がっていくため、ボウル部２の上端部分が洗浄されない場合があり、清掃は容易とはなっても、洗浄されない部分に汚れが付着する問題があった。
【０００８】
本発明は、前記問題を解決するために提案されたもので、その目的は、リム通水路からの排水の放出によりボウル部全体の洗浄をすると共に、リム通水路内への汚れの付着を低減し、リム通水路外面の清掃性を向上させる洋風便器装置を提供することにある。
【課題を解決するための手段】
【０００９】
前記目的を達成するために、請求項１に記載の洋風便器装置は、便器本体の上端にリム通水路を周設し、該リム通水路に排水を通じて、ボウル部に放出する構造とした洋風便器装置において、前記リム通水路は、前記便器本体の外壁上端に形設されたリム上辺と、該リム上辺から前記ボウル部の内壁に向けて傾斜させて形設されたリム内辺とで囲まれて下方が先細り状となるように断面視略逆三角形状に形成されており、該リム通水路の下端部には、前記ボウル部に向けて開口する開口部を形成していることを特徴とする。
【００１０】
請求項２では、請求項１において、前記開口部は、連続したスリット開口として構成されていることを特徴とする。
【００１１】
請求項３では、請求項１において、前記開口部は、独立した複数の射水孔を列設して構成されていることを特徴とする。
【発明の効果】
【００１２】
請求項１乃至３に記載の洋風便器装置によれば、リム通水路を、下方が先細り状となるように断面視略逆三角形状に形成しているので、リム通水路の底部に水平となる下面を形成したものと比べて、清掃を容易に行うことが出来る。
また、前記のように形成されたリム通水路の下端部に、開口部を形成しているため、リム通水路内に供給された排水が、滞留することなくボウル部に向けて放出されるので、リム通水路内に水垢などが堆積することを低減することができる。
さらに、リム通水路の下方が先細り状となっているため、リム通水路に供給された排水は、下端部の開口から徐々にボウル部に向けて放出されるとともに、リム通水路に沿って、下流側にも行き渡るようにリム通水路内の全域に通水されて開口部からボウル部に向けて排水が放出されるので、ボウル部全体の洗浄を行うことができる。
【００１３】
請求項２では、下端部に設けた開口部を、連続したスリット開口としているため、リム通水路内に供給された排水は、滞留せずに全てボウル部に向けて放出されるので、水垢などの堆積を完全に防止することができる。
【００１４】
請求項３では、下端部に設けた開口部を、独立した複数の射水孔としているため、水勢や水量に合わせて、射水孔の径の大小や、水流の向きなどを設計することができる。
【発明を実施するための最良の形態】
【００１５】
以下に、本発明の実施の形態について、図面を参照しながら説明する。
図１及び図２は、第１実施形態に係る洋風便器装置を示し、図１は、本実施形態の洋風便器装置を示す一部破断斜視図、図２は、図１における破断部分の要部拡大概略断面図である。
【００１６】
本実施形態に係る洋風便器装置１０では、便器本体２２の後部に排水タンクを備えていない、水道配管直結方式、いわゆるタンクレスタイプのものを図示しているが、排水タンクを備えたものにも適用可能である。
図例の洋風便器装置１０は、便器本体２２の上端に周設されたリム通水路１１と、その略中央に配設されたボウル部２０と、便器本体２２の外壁を構成するスカート部２１と、便器本体２２の後部に回動自在に枢着された便座３０及び便蓋３１と、リム通水路１１に排水を供給する吐出口（不図示）を備えている。
【００１７】
詳しくは、リム通水路１１は、スカート部２１上端に位置するリム外辺１１ａと、リム外辺１１ａの上端から略水平に形設されたリム上辺１１ｂと、リム上辺１１ｂの内周端縁からボウル部２０の内壁に向けて傾斜させて形設されたリム内辺１１ｃとで囲むように形成されており、図２に示すように、下方が先細り状となるように断面視略逆三角形状に形成されている。
【００１８】
前記構成によれば、図４に示すような底部１ｄが形成されず、清掃が容易であるとともに、汚れの付着することもなく、また、ボウル部２０上端部及びリム内辺１１ｃの汚れを容易に目視できるため、汚れ具合を直ぐに発見できるので、清掃を満遍なく充分に行うことが可能となり、図４のような目視困難な底部１ｄやボウル部２上端部に汚れの付着が残存することによる臭気の発生も軽減することができる。
【００１９】
また、リム通水路１１の下端部には、ボウル部２０に向けて開口する開口部１１ｅ、すなわち本実施形態では、リム内辺１１ｃの下端部とリム外辺１１ａから延在するボウル部２０の内壁上端部との間に空隙が形成され、連続したスリット開口１１ｅが形成されている。
【００２０】
これにより、リム通水路１１の内面下端部は、図４に示すような閉塞された面が形成されず、リム通水路１１内に供給された排水が、滞留せずに全てボウル部２０に向けて放出されるため、リム通水路１１内に水垢などが堆積することがないので、臭気発生や水垢の垂れ下りによる汚れを防止することができる。
【００２１】
前記のように構成されたリム通水路１１では、吐出口から供給された排水を、リム通水路１１に沿って、吐出口の下流側に通水するとともに、開口スリット１１ｅよりボウル部２０に向けて放出する構成となり、前述のように下方が先細り状に形成されているため、リム通水路１１に供給された排水は、下端部の開口スリット１１ｅから徐々にボウル部２０に向けて放出されるとともに、リム通水路１１に沿って、下流側にも行き渡るようにリム通水路１１内の全域に通水されて開口スリット１１ｅからボウル部２０に向けて排水が放出されるので、ボウル部２０全体の洗浄を行うことができる。
【００２２】
ここで、スリット開口１１ｅは、リム通水路１１の全周にわたり、その幅を略同幅として形成してもよいが、吐出口から供給される排水の水量、水圧、水流経路により、適宜、リム通水路１１のそれぞれの位置で、幅を調整して設計することが好ましい。
例えば、水圧が非常に低い場合は、吐出口の上流側に位置するスリット開口１１ｅの幅を狭く形成し、下流側に向かうにつれて、その幅を広く形成する構成とすれば、吐出口から供給された排水が、上流側で全て放出されず、下流側まで確実に行き渡らせることができ、ボウル部２０全体が洗浄されることとなる。
一方、水圧が高い場合は、吐出口の上流側に位置するスリット開口１１ｅの幅を広く形成し、下流側に向かうにつれて、その幅を狭く形成する構成とすれば、上流側でも適度に排水を放出しつつ、下流側まで排水を行き渡らせて、ボウル部２０の全体に放出させることができる。
【００２３】
尚、リム上辺１１ｂの幅、リム上辺１１ｂとリム内辺１１ｃとで形成される角度などは、前記と同様に適宜、吐出口から供給される排水の水量、水圧、水流経路により設計することが好ましい。
また、リム通水路１１は、陶器製に限らず、樹脂製のものにも適用が可能である。
さらに、吐出口から供給される排水のリム通水路１１内における流路はどのようなものでもよく、例えば、便器本体２２の後部から一方向に旋回させるような構造、便器本体２２の後部から左右両方向に分岐させて便器本体２２の前部まで両側から旋回させるような構造など、どのようなものにも適用が可能である。
【００２４】
図３は、第２実施形態に係る洋風便器装置を示し、図１における破断部分に相当する箇所の要部拡大概略断面図である。
第１実施形態との相違点は、開口部１２ｅを複数の射水孔１２ｅとしている点であり、他の構成及び洋風便器装置としての基本的構成は、第１実施形態と同様であるため、同一の符号を付して説明を省略する。
【００２５】
詳しくは、本実施形態では、リム通水路１１の下端部に形成された開口部１２ｅは、独立した複数の射水孔１２ｅを列設して構成されている。
図３に示すように、リム内辺１１ｃの下端部とボウル部２０の内壁上端部の連結された箇所、すなわち、リム内辺１１ｃの下端部に複数の射水孔１２ｅが穿設されている。
【００２６】
このように、開口部１２ｅを射水孔１２ｅとすることにより、吐出口から供給される排水の水圧、水量に応じて、射水孔１２ｅの形や径を設計したり、穿設させる向きを調整することで水流を規制することが可能となり、より水圧の低い場合にも射水孔１２ｅの設計、調整により、ボウル部２０全体の洗浄が可能となる。
【００２７】
ここで、列設された複数の射水孔１２ｅの水平面での位置は、同水平面としてもよいが、例えば、吐出口の上流側から下流側に向かうにつれて、徐々に低い箇所に射水孔１２ｅが位置するような構成としてもよい。
これにより、リム通水路１１内の排水が、更に、滞留することなく、全てボウル部２０へと放出させることができ、水垢などの堆積を防止することが可能となる。
また、リム内辺１１ｃの下端部とボウル部２０の内壁上端部の連結する箇所は、滑らかに形成することが好ましい。これにより、連結箇所に汚れが堆積することなく、また清掃も、より容易となる。
【図面の簡単な説明】
【００２８】
【図１】本発明に係る洋風便器装置の実施形態の一例を示す一部破断斜視図である。
【図２】図１における破断部分の要部拡大概略断面図である。
【図３】本発明に係る洋風便器装置の実施形態の他例を示す要部拡大概略断面図である。
【図４】従来例を示す図である。
【図５】他の従来例を示す図である。
【符号の説明】
【００２９】
１０      洋風便器装置
１１      リム通水路
１１ｂ      リム上辺
１１ｃ      リム内辺
１１ｅ      開口部（スリット開口）
１２ｅ      開口部（射水孔）
２０      ボウル部
２２      便器本体
【図１】
2007315045.tif 000003
【図２】
2007315045.tif 000004
【図３】
2007315045.tif 000005
【図４】
2007315045.tif 000006
【図５】
2007315045.tif 000007